(57)【要約】【課題】サイド不織布に多数の開孔及び／又は切込みが形成された吸収性物品において、前記サイド不織布のヨレを防止するとともに、吸収体からの逆戻りを防止する。【解決手段】サイド不織布６は内側縁部分に透液性表面シート３側に内折りされた積層シート部１０を有するとともに、この積層シート１０内部に吸収性材料が介在され、かつこの吸収性材料の上面に位置するサイド不織布６領域に多数の開孔１１，１１…が形成されている構造とする。前記透液性表面シート３は親水性不織布とされるとともに、両側縁部で夫々、外折りされ、この外折りされた延在シート部分が前記積層シート１０内に挿入されることにより前記吸収性材料を構成している。【選択図】図３
2010220913.tif 000002
【特許請求の範囲】
【請求項１】
透液性表面シートと裏面シートとの間に吸収体が介在されるとともに、表面側両側部に夫々、内側縁が前記吸収体の側縁よりも内側に位置するように設けられるとともに、多数の開孔及び／又は切込みが形成されたサイド不織布を備えた吸収性物品において、
前記サイド不織布は内側縁部分に表面シート側に内折りされた積層シート部を有するとともに、この積層シート内部に吸収性材料が介在され、かつこの吸収性材料の上面に位置するサイド不織布領域に前記多数の開孔及び／又は切込みが形成されていることを特徴とする吸収性物品。
【請求項２】
前記透液性表面シートは親水性不織布とされるとともに、両側縁部で夫々、外折りされ、この外折りされた延在シート部分が前記積層シート内に挿入されることにより前記吸収性材料を構成している請求項１記載の吸収性物品。
【請求項３】
前記吸収性材料が吸収性繊維および高吸収性ポリマーが混合されたエアレイド吸収体とされる請求項１記載の吸収性物品。
【発明の詳細な説明】
【技術分野】
【０００１】
本発明は、表面両側部に夫々、内側縁が前記吸収体の側縁よりも内側に位置するように設けられるとともに、多数の開孔及び／又は切込みが形成されたサイド不織布を備えた吸収性物品に関する。
【背景技術】
【０００２】
従来より、生理用ナプキン、パンティライナー、おりものシート、失禁パッドなどの吸収性物品Ｎとしては、例えば図７および図８に示されるように、ポリエチレンシートまたはポリエチレンラミネート不織布などからなる裏面シート５０と、不織布または透孔性プラスチックシートなどからなる透液性表面シート５１との間に綿状パルプなどからなる吸収体５２を介在させるとともに、表面両側部に夫々、撥水性不織布からなるサイド不織布５５を備えたものが知られている。
【０００３】
前記サイド不織布５５は、経血等の横漏れを防止するために吸収体５２の両側部を覆うように配置されるものであるが、吸収面の面積を減少させるとともに、サイド不織布５５上に乗り上がった経血等があると、吸収されずに外側まで流れ出てしまうという問題があった。
【０００４】
上記問題点を解決するために、下記特許文献１では、図９に示されるように、透液性内面シートと不透液性外面シートとの間に吸液性パネルを介在させた積層体の両側部の上面にフラップ６１をそれぞれ配置してある生理用ナプキン６０において、前記積層体の前端側へ偏倚した部位で前記外面シート及び前記両フラップ６１の一部を外側へ延出させてウイング部Ｗ、Ｗを形成するとともに、前記積層体及び前記両ウイング部Ｗ、Ｗを含む両フラップ６１、６１の外周縁を接合し、前記積層体の中間領域６２における前記両フラップ６１には液抵抗性を付与する一方、前記積層体の前後側領域６３，６４における前記両フラップ６１，６１には多数の開孔６５，６５…を設けることにより透液性を付与し、前記中間領域６２における前記両フラップ６１，６１の内側縁に沿って弾性紐状物６６、６６を取り付けてあるナプキンが提案されている。
【先行技術文献】
【特許文献】
【０００５】
【特許文献１】実開平５−９３４３０号公報
【発明の概要】
【発明が解決しようとする課題】
【０００６】
前記特許文献１に係るナプキン１では、前後側領域６３，６４において、サイド不織布（フラップ６１）に多数の開孔６５，６５…を形成してあるため、サイド不織布上に乗り上がった経血等があったとしても、前記開孔６５，６５…から吸収体に吸収されるようになるという利点を有する。
【０００７】
しかしながら、前記サイド不織布に多数の開孔６５，６５…を形成すると、ヨレが発生し易くなり堰き止め効果が低減するとともに、吸収体に体液が吸収されている状態で圧縮力を受けると、逆に前記開孔６５，６５から体液が逆戻りしてしまうという問題があった。
【０００８】
そこで本発明の主たる課題は、サイド不織布上に乗り上がった体液があった場合に、この体液を吸収させるためにサイド不織布に多数の開孔及び／又は切込みが形成された吸収性物品において、前記サイド不織布のヨレを防止するとともに、吸収体からの逆戻りを防止することにある。
【課題を解決するための手段】
【０００９】
前記課題を解決するために請求項１に係る本発明として、透液性表面シートと裏面シートとの間に吸収体が介在されるとともに、表面側両側部に夫々、内側縁が前記吸収体の側縁よりも内側に位置するように設けられるとともに、多数の開孔及び／又は切込みが形成されたサイド不織布を備えた吸収性物品において、
前記サイド不織布は内側縁部分に表面シート側に内折りされた積層シート部を有するとともに、この積層シート内部に吸収性材料が介在され、かつこの吸収性材料の上面に位置するサイド不織布領域に前記多数の開孔及び／又は切込みが形成されていることを特徴とする吸収性物品が提供される。
【００１０】
上記請求項１記載の本発明では、サイド不織布上に乗り上がった体液があった場合でも、この体液は前記開孔及び／又は切込みから吸収性材料に吸収される。また、前記積層シート部内に吸収性材料が介在されることにより、コシが出てヨレが発生し難くなる。更に、前記積層シート部においては、開孔及び／又は切込みは上層シート部分のみに形成され、下層シート側には形成されていないため吸収体からの逆戻りも防止できるようになる。
【００１１】
請求項２に係る本発明として、前記透液性表面シートは親水性不織布とされるとともに、両側縁部で夫々、外折りされ、この外折りされた延在シート部分が前記積層シート内に挿入されることにより前記吸収性材料を構成している請求項１記載の吸収性物品が提供される。
【００１２】
上記請求項２記載の本発明は、前記吸収性材料として、親水性不織布からなる表面シートの延在部分を積層シート部内に介在させるようにしたものである。
【００１３】
請求項３に係る本発明として、前記吸収性材料が吸収性繊維および高吸収性ポリマーが混合されたエアレイド吸収体とされる請求項１記載の吸収性物品が提供される。
【００１４】
上記請求項３記載の本発明は、前記吸収性材料として、エアレイド吸収体を介在させるようにしたものである。
【発明の効果】
【００１５】
以上詳説のとおり本発明によれば、開孔及び／又は切込みを形成したサイド不織布のヨレを防止するとともに、サイド不織布上に乗り上がった体液があったとしてもこの体液を吸収させるとともに、吸収体からの逆戻りを防止することができる。
【図面の簡単な説明】
【００１６】
【図１】本発明に係る生理用ナプキン１の一部破断展開図である。
【図２】図１のII−II線矢視図である。
【図３】本発明ナプキンの構造例を示す模式断面図であり、(A)は第１形態例、(B)は第２形態例である。
【図４】開孔パターン例を示す要部拡大平面図である。
【図５】開孔パターン例を示す要部拡大平面図である。
【図６】サイド不織布にサイドエンボスを有するナプキン平面図である。
【図７】従来の生理用ナプキンＮの展開図である。
【図８】その横断面図である。
【図９】特許文献１に係るナプキンの斜視図である。
【発明を実施するための形態】
【００１７】
以下、本発明の実施の形態について図面を参照しながら詳述する。
【００１８】
図１に示される生理用ナプキン１は、ポリエチレンシート、ポリプロピレンシートなどからなる裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って配設されたサイド不織布６，６とから構成されている。前記吸収体４の周囲において、その上下端縁部では、前記裏面シート２と透液性表面シート３との外縁部がホットメルトなどの接着剤やヒートシール等の接着手段によって接合され、またその両側縁部では吸収体４よりも側方に延出している前記裏面シート２と前記サイド不織布６とがホットメルトなどの接着剤やヒートシール等の接着手段によって接合されている。
【００１９】
以下、さらに前記生理用ナプキン１の構造について詳述すると、
前記裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２０】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法、エアスルー法は嵩高でソフトである点で優れている。一方、前記透液性表面シート３の上面には、排血対応部位を跨ぐ両側部にそれぞれ、略長手方向に沿うフィットエンボス７，７が形成されているとともに、前後部にそれぞれ弧状エンボス８，８が形成されている。前記表面シート３の下面にはセカンドシートと呼ばれる親水性不織布を配置するようにしてもよい。
【００２１】
前記裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００２２】
一方、本生理用ナプキン１の表面がわ両側部にはそれぞれ、長手方向に沿ってかつナプキン１のほぼ全長に亘ってサイド不織布６，６が設けられ、このサイド不織布６，６の一部が側方に延在されるとともに、同じく側方に延在された裏面シート２の一部とにより、外方に延在するウイング状フラップＷ、Ｗが形成されている。
【００２３】
前記サイド不織布６としては、吸収体から滲み出しを防止するためにシリコン系、パラフィン系、アルキルクロミッククロリド系撥水剤などをコーティングした撥水処理不織布を用いることが望ましい。このサイド不織布６の内側縁は前記吸収体４の側縁よりも内側に位置するように設けられている。
【００２４】
本生理用ナプキン１では、図１及び図２に示されるように、前記サイド不織布６は内側縁部分に表面シート３側に内折りされた積層シート部１０を有するとともに、この積層シート１０内部に吸収性材料が介在され、かつこの吸収性材料の上面に位置するサイド不織布６の領域に多数の開孔１１，１１…が形成されているものである。
【００２５】
以下、上記サイド不織布構造について更に具体的に詳述する。
（第１形態例）
図１及び図２に示される第１形態例に係る構造を図３(A)の模式断面図に基づいて詳述する。
【００２６】
前記サイド不織布６は、内方縁側において所定幅で表面シート３側に内折りされた積層シート部１０を有する。一方、表面シート３としては、親水処理された親水性不織布が使用されており、両側縁部で夫々、外側に折り返され、この外折りされた延在シート部分１２が前記積層シート１０内に挿入されることにより、前記吸収性材料を構成している。そして、前記表面シート３の挿入部分の上面に位置するサイド不織布６の領域に前記多数の開孔１１，１１…が形成されている。前記親水処理は、例えば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた方法などを採用することができる。
【００２７】
前述したサイド不織布構造の場合は、サイド不織布６上に乗り上がった体液があった場合でも、この体液は前記開孔１１，１１…から親水性表面シート３に吸収される。また、前記積層シート部１０に親水性表面シート３が介在されることにより、コシが出てヨレが発生し難くなる。更に、前記積層シート部１０において、開孔１１は上層シート部分のみに形成され、下層シート側には形成されていないため吸収体４からの逆戻りも防止できるようになる。
【００２８】
前記開孔１１としては、同じ開孔形状の配置パターン、異なる開孔形状の組合せ等、任意のパターンで形成することができる。図１に示される例は、円孔を２列の千鳥配置で形成した例であり、図３の例は１列で形成した例である。更に、図４に示される例は、円孔１４と楕円孔１５とを交互に列状に配置した例であり、図５に示される例は花びら模様の開孔１６と楕円孔１７とを交互に列状に配置した例である。これらの開孔は、肌触り感を良好とするために熱を掛けずに形成するのが望ましい。
【００２９】
また、開孔の形成範囲は、図示例では吸収体４のほぼ全長に亘って形成したが、排血部を含む所定の区間に限定して形成することでもよい。上記開孔１１、１４〜１７等は切り抜きによって形成したが、ピンを突き刺して開孔を形成することもできる。更に、前記開孔１１，１４〜１７に代えて、或いはこれらの開孔と共に、切込みを形成してもよい。切込みはナプキンの幅方向としておけば、サイド不織布６が製造ラインで配置される際、サイド不織布６に掛かったライン方向の張力によって拡開され開孔となる。また、図１に示されるウイング付ナプキンの場合は、ウイングＷ部分では、ナプキン長手方向の切込みとしておけば、ウィングＷを引っ張ってショーツの外面に貼着する際、この張力によって切込みが拡開して開孔となる。
【００３０】
（第２形態例）
次いで、第２形態例について図３(B)の模式断面図に基づいて詳述する。
前記サイド不織布６は、内方縁側において所定幅で表面シート３側に内折りされた積層シート部１０を有する点は上記第１形態例と同様である。本第２形態例では、前記積層シート部１０内に、前記吸収性材料として、吸収性繊維および高吸収性ポリマーが混合されたエアレイド吸収体１３が介在され、このエアレイド吸収体１３の上面に位置するサイド不織布６領域に前記多数の開孔１１，１１…が形成されている。前記エアレイド吸収体１３の保持のためには、吸湿性のあるホットメルトによって接着することが可能である。なお、この態様の場合は、表面シート３としては、メッシュシートを用いることが可能である。効果について、上記第１形態例と同様である。
【００３１】
（第３形態例）
更に、図６に示される第３形態例は、サイド不織布６の上面からエンボスを付与することにより、体液の滞留を促し伝い漏れを防止するようにしたナプキンの例である。図示されるナプキン１’では、前記サイド不織布６，６のそれぞれに、実質的に、比較的長周期の略単振動波形（以下「長周期波形」という。）に比較的短周期の略単振動波形（以下「短周期波形」という。）を重ね合わせた複合波状線のエンボス２０が、生理用ナプキン１’の長手方向に沿うとともに、前記吸収体４の側方端縁を跨いで行き来するように、かつ前記生理用ナプキン１’の長手方向中心線に対して線対称となるように表面側から付与されており、少なくとも排血口部に対応する側部領域で前記エンボスの比較的長周期の略単振動波形成分が内側に凸となるように配置されているものである。また、エンボス２０の長周期波形成分によって外側に凸となるエンボス領域において、その内側であって、該エンボスから離間した近接位置に、独立した点状エンボス２１又は象形エンボス２２を付与してある。
【００３２】
かかる生理用ナプキン１’に対して、本発明に係るサイド不織布構造を適用する場合は、前記エンボス２０よりも内側縁側に開孔１１，１１…を形成するようにする。この場合、前記エンボス２０の一部と開孔１１，１１…とは重なっていてもよい。
【００３３】
〔その他の形態例〕
(1)上記形態例ではウイング状フラップＷ、Ｗを有するナプキンの例を示したが、ウイング状フラップＷ、Ｗを有しないナプキンにも同様に適用することが可能である。
【符号の説明】
【００３４】
１…生理用ナプキン、２…裏面シート、３…透液性表面シート、４…吸収体、５…クレープ紙、６…サイド不織布、１０…積層シート部、１１・１４〜１７…開孔
【図１】
2010220913.tif 000003
【図２】
2010220913.tif 000004
【図３】
2010220913.tif 000005
【図４】
2010220913.tif 000006
【図５】
2010220913.tif 000007
【図６】
2010220913.tif 000008
【図７】
2010220913.tif 000009
【図８】
2010220913.tif 000010
【図９】
2010220913.tif 000011